(57)【要約】【課題】消費電力量を減らすために画像形成装置に電源ＯＦＦが要求された場合、ジョブの中断による業務支障がでないようにする。【解決手段】電力管理サーバ２０の制御部２５は、複合機３０や制御対象装置３１の合計使用電力が上限電力を越える場合に、優先順位に従って、電源ＯＦＦの装置を決定する。そして、電源ＯＦＦとする装置が複合機３０である場合には、その複合機３０に電源のＯＦＦを通信部２１を介して通知する。同時に電源ＯＦＦするときに業務に支障が出ないように複合機が処理する終了モードも通知する。これは設定部２４によって予め設定して、その設定情報を情報保持部２２に保持しておき、その設定情報を複合機３０に通知する。【選択図】図１
2013246448.tif 000002
【特許請求の範囲】
【請求項１】
登録されたジョブについて処理を行う画像形成装置を含む制御対象装置に対し、電源のＯＮ／ＯＦＦ制御を行う電力管理サーバにおいて、
前記制御対象装置と通信を行う通信部と、
前記画像形成装置を電源ＯＦＦとする場合の登録ジョブの処理に関する終了モードを設定する設定部と、
前記画像形成装置に電源ＯＦＦを指示する場合に、設定された終了モードの情報を、前記通信部を介して前記画像形成装置に通知する制御部と、
を備え、
前記画像形成装置における登録ジョブの終了方法を指示することを特徴とする電力管理サーバ。
【請求項２】
登録されたジョブについて処理を行う画像形成装置を含む制御対象装置に対し、電源のＯＮ／ＯＦＦ制御を行う電力管理サーバにおいて、
前記制御対象装置と通信を行う通信部と、
登録ジョブの処理に関する動作中モードを設定する設定部と、
前記画像形成装置に電源ＯＮを指示する場合に、設定された動作中モードを、前記通信部を介して前記画像形成装置に通知する制御部と、
を備え、
前記画像形成装置における登録ジョブの動作方法を指示することを特徴とする電力管理サーバ。
【請求項３】
制御対象装置の電源のＯＮ／ＯＦＦ制御を行う電力管理サーバからの指示により、登録されたジョブについて処理を行う画像形成装置において、
前記電力管理サーバと通信を行う通信部と、
各処理モードの処理情報を記憶する記憶部と、
前記電力管理サーバから電源ＯＦＦの通知を受けるとともに、電源ＯＦＦとする場合の登録ジョブの処理に関する終了モードが通知された場合に、前記記憶部から該当する処理情報を読み出して処理を行う制御部と、
を備え、
前記画像形成装置における登録ジョブの終了方法を指示することを特徴とする画像形成装置。
【請求項４】
制御対象装置の電源のＯＮ／ＯＦＦ制御を行う電力管理サーバからの指示により、登録されたジョブについて処理を行う画像形成装置において、
前記電力管理サーバと通信を行う通信部と、
各処理モードの処理情報を記憶する記憶部と、
前記電力管理サーバから電源ＯＮの通知を受けるとともに、登録ジョブの処理に関する動作中モードが通知された場合に、前記記憶部から該当する処理情報を読み出して処理を行う制御部と、
を備え、
前記画像形成装置における登録ジョブの動作方法を指示することを特徴とする画像形成装置。
【請求項５】
制御対象装置の電源のＯＮ／ＯＦＦ制御を行う電力管理サーバからの指示により、登録されたジョブについて処理を行う画像形成装置において、
前記電力管理サーバと通信を行う通信部と、
各処理モードの処理情報を記憶する記憶部と、
前記電力管理サーバから電源ＯＦＦの通知を受けた場合に、予め設定されていた電源ＯＦＦとする場合の登録ジョブの処理に関する終了モードの処理情報を前記記憶部から読み出して処理を行う制御部と、
を備え、
前記画像形成装置における登録ジョブの終了方法を指示することを特徴とする画像形成装置。
【請求項６】
制御対象装置のＯＮ／ＯＦＦ制御を行う電力管理サーバからの指示により、登録されたジョブについて処理を行う画像形成装置において、
前記電力管理サーバと通信を行う通信部と、
各処理モードの処理情報を記憶する記憶部と、
前記電力管理サーバから電源ＯＮの通知を受けた場合に、予め設定されていた登録ジョブの処理に関する動作中モードの処理情報を前記記憶部から読み出して処理を行う制御部と、
を備え、
前記画像形成装置における登録ジョブの動作方法を指示することを特徴とする画像形成装置。
【発明の詳細な説明】
【技術分野】
【０００１】
本発明は、消費電力を抑えるように電力管理を行う電力管理サーバ及び画像形成装置に関する。
【背景技術】
【０００２】
近年、省エネルギー化の意識が高まり、ＯＡ機器や生産設備など様々の装置においても消費電力量の削減が求められるようになってきた。そのため、合計の消費電力量の上限を定めて、消費電力量の範囲内でのみ所望の機能を行わせることにより、省エネルギー化を実現する技術について発明がなされている。
【０００３】
例えば、特許文献１には、使用電力合計が許容値を越えないように重要度の低い設備から停止させるシステムが記載されている。
【０００４】
また、特許文献２には、画像形成装置のプリントジョブの消費電力の合計が上限を超えたら、ジョブ優先度の低いジョブは消費電力の低い低速モードで印刷するシステムが記載されている。
【先行技術文献】
【特許文献】
【０００５】
【特許文献１】特開平５−２１１７２０
【特許文献２】特開２００２−２９７３５３
【発明の概要】
【発明が解決しようとする課題】
【０００６】
しかし、特許文献１の技術では、電力合計が許容値を超えて複合機の電源をＯＦＦする場合、その複合機において処理実行中のジョブが中断し正常終了とならない可能性がある。
【０００７】
また、特許文献２の技術では、ジョブの実行中に電源ＯＦＦが要求される場合の処理については考慮されておらず、ジョブが中断されてしまうおそれがある。
【０００８】
本発明は、斯かる実情に鑑み、消費電力量を減らすために画像形成装置に電源ＯＦＦが要求された場合、ジョブの中断による業務支障がでないようにする電力管理サーバ及び画像形成装置を提供しようとするものである。
【課題を解決するための手段】
【０００９】
本発明は、登録されたジョブについて処理を行う画像形成装置を含む制御対象装置に対し、電源のＯＮ／ＯＦＦ制御を行う電力管理サーバにおいて、
前記制御対象装置と通信を行う通信部と、前記画像形成装置を電源ＯＦＦとする場合の登録ジョブの処理に関する終了モードを設定する設定部と、前記画像形成装置に電源ＯＦＦを指示する場合に、設定された終了モードの情報を、前記通信部を介して前記画像形成装置に通知する制御部と、を備え、
前記画像形成装置における登録ジョブの終了方法を指示することを特徴とする。
【００１０】
また、本発明は、登録されたジョブについて処理を行う画像形成装置を含む制御対象装置に対し、電源のＯＮ／ＯＦＦ制御を行う電力管理サーバにおいて、
前記制御対象装置と通信を行う通信部と、登録ジョブの処理に関する動作中モードを設定する設定部と、前記画像形成装置に電源ＯＮを指示する場合に、設定された動作中モードを、前記通信部を介して前記画像形成装置に通知する制御部と、を備え、
前記画像形成装置における登録ジョブの動作方法を指示することを特徴とする。
【００１１】
また、本発明は、制御対象装置の電源のＯＮ／ＯＦＦ制御を行う電力管理サーバからの指示により、登録されたジョブについて処理を行う画像形成装置において、
前記電力管理サーバと通信を行う通信部と、各処理モードの処理情報を記憶する記憶部と、前記電力管理サーバから電源ＯＦＦの通知を受けるとともに、電源ＯＦＦとする場合の登録ジョブの処理に関する終了モードが通知された場合に、前記記憶部から該当する処理情報を読み出して処理を行う制御部と、を備え、
前記画像形成装置における登録ジョブの終了方法を指示することを特徴とする。
【００１２】
また、本発明は、制御対象装置の電源のＯＮ／ＯＦＦ制御を行う電力管理サーバからの指示により、登録されたジョブについて処理を行う画像形成装置において、
前記電力管理サーバと通信を行う通信部と、各処理モードの処理情報を記憶する記憶部と、前記電力管理サーバから電源ＯＮの通知を受けるとともに、登録ジョブの処理に関する動作中モードが通知された場合に、前記記憶部から該当する処理情報を読み出して処理を行う制御部と、を備え、
前記画像形成装置における登録ジョブの動作方法を指示することを特徴とする。
【００１３】
また、本発明は、制御対象装置の電源のＯＮ／ＯＦＦ制御を行う電力管理サーバからの指示により、登録されたジョブについて処理を行う画像形成装置において、
前記電力管理サーバと通信を行う通信部と、各処理モードの処理情報を記憶する記憶部と、前記電力管理サーバから電源ＯＦＦの通知を受けた場合に、予め設定されていた電源ＯＦＦとする場合の登録ジョブの処理に関する終了モードの処理情報を前記記憶部から読み出して処理を行う制御部と、を備え、
前記画像形成装置における登録ジョブの終了方法を指示することを特徴とする。
【００１４】
また、本発明は、制御対象装置の電源のＯＮ／ＯＦＦ制御を行う電力管理サーバからの指示により、登録されたジョブについて処理を行う画像形成装置において、
前記電力管理サーバと通信を行う通信部と、各処理モードの処理情報を記憶する記憶部と、前記電力管理サーバから電源ＯＮの通知を受けた場合に、予め設定されていた登録ジョブの処理に関する動作中モードの処理情報を前記記憶部から読み出して処理を行う制御部と、を備え、
前記画像形成装置における登録ジョブの動作方法を指示することを特徴とする。
【発明の効果】
【００１５】
本発明によれば、画像形成装置が省エネルギー化のために電源ＯＦＦとなる場合、電力管理サーバからその通知を受けた画像形成装置は、処理中のジョブは処理を完了させてから電源をＯＦＦとするので、処理が中断することがなく、業務に大きな支障を起こさない。
【００１６】
また、動作中に、ジョブの処理中は他のジョブを登録しない処理を行えば、電源ＯＦＦの通知が電力管理サーバから来た場合に、電源ＯＦＦにする時間を短縮できる。
【図面の簡単な説明】
【００１７】
【図１】本発明に係る電力管理システムの一例を示す複合機運用印刷システムの構成ブロック図である。
【図２】情報テーブルの一例を示す図である。
【図３】電力管理サーバに管理される複合機を示すブロック図である。
【図４】本発明の電力管理システムにおける電力管理サーバが複合機への各種設定の処理手順を示すフローチャートである。
【図５】設定画面を示す図である。
【図６】本発明に係る電力管理システムの終了モードを設定した場合の管理処理を示すフローチャートである。
【図７】終了モードが保存モードの場合の複合機における終了処理の例を示すフローチャートである。
【図８】終了モードが転送モードの場合の複合機における終了処理の例を示すフローチャートである。
【図９】本発明に係る電力管理システムの動作中モードを設定した場合の管理処理を示すフローチャートである。
【図１０】動作中モードが通常モードの場合の複合機の処理を示すフローチャートである。
【図１１】動作中モードが蓄積禁止モードの場合の複合機の処理を示すフローチャートである。
【図１２】印刷部数１部の保存モードの場合の複合機における終了処理の例を示すフローチャートである。
【図１３】印刷部数１部の転送モードの場合の複合機における終了処理の例を示すフローチャートである。
【図１４】プリントサーバが接続された電力管理システムを示すブロック図である。
【図１５】プリントサーバを示すブロック図である。
【図１６】プリントサーバの動作を示すフローチャートである。
【発明を実施するための形態】
【００１８】
以下、本発明の実施の形態を添付図面を参照して説明する。
【００１９】
＜電力管理システム構成＞
図１は、本発明に係る電力管理システムの一例を示す複合機運用印刷システムの構成ブロック図である。
【００２０】
この電力管理システム１０は、電力管理サーバ２０と、電力管理サーバに電力管理される複合機３０（３０−１〜３０−ｍのｍ個あるものとする）と、制御対象装置３１（３１−１〜３１−ｎのｎ個あるものとする）とから構成されている。ここで、複合機３０とは、プリンタ、ＦＡＸ、スキャナ等の機能を有する多機能画像形成装置であるデジタル複合機を意味する。電力管理サーバ２０にとっては、複合機３０も制御対象装置の一つであるが、ここでは区別して記載する。制御対象装置３１は、例えば画像形成装置以外のＯＡ機器や生産設備などが該当する。電力管理サーバ２０と、複合機３０及び制御対象装置３１とはネットワークを介して接続されている。
【００２１】
電力管理サーバ２０は、通信部２１、情報保持部２２、表示部２３、設定部２４、制御部２５から構成される。
【００２２】
通信部２１は、複合機３０及び制御対象装置３１とネットワーク通信を行うインターフェースである。
【００２３】
情報保持部２２は、ＨＤＤやメモリからなり、複合機３０や制御対象装置３１からＩＰアドレス、機種名と電力消費量に関する情報を抽出し、これらの抽出情報を保持する。また、詳しくは後述するが、処理モードの設定情報も保持する。図２には、情報テーブルを示す。このテーブル２８は、電力供給における「優先順位」、「制御対象装置名」、ネットワークにおける「ＩＰアドレス」、「消費電力」「動作中モード」「終了モード」の項目からなる。「制御対象装置名」、「ＩＰアドレス」、「消費電力」については、複合機３０や制御対象装置３１から抽出された情報を格納する。「優先順位」については、「消費電力」に基づいて、電力管理サーバ２０が設定してもよいし、ユーザが設定してもよい。「動作中モード」「終了モード」は、複合機の処理モードであり、どの処理モードを実行するかを設定した情報である。
【００２４】
表示部２３は、液晶パネルや有機ＥＬなどからなり、情報保持部２２が持つ情報やモード設定などの画面を表示する。
設定部２４は、管理対象の複合機３０、制御対象装置３１に対して、電源ＯＦＦ時における終了モードの設定情報や動作中のモードの設定を受付け、その設定情報を情報保持部２２へと送信する。
制御部２５は、電力管理を行うために情報保持部２２の情報に基づいて、電力管理サーバ２０内の各装置を統括して制御するものである。
【００２５】
図３は、電力管理サーバに管理される複合機を示すブロック図である。
複合機３０は、入力操作部４１、表示部４２、記憶部４３、画像処理部４４、通信部４５、スキャナ部４６、プリンタ部４７を備える構成である。
【００２６】
入力操作部４１は、ユーザからの指示入力を受け付けて制御部４９に伝達する部分であり、各種設定ボタンなどよって構成される。
表示部４２は、例えば液晶ディスプレイなどによって構成される装置である。なお、表示部４２の機能と入力操作部４１の機能とを一体化させたタッチパネルを備えてもよい。
【００２７】
記憶部４３は、入力操作部４１を介してユーザから入力される各種コマンドや設定値、複合機３０に設けられる各装置の動作を制御するための各種設定値およびデータテーブル、各種制御を実行するためのプログラムなどを記憶するものである。記憶部４３としては、例えば、リードＯＮリーメモリ（ＲＯＭ）、ランダムアクセスメモリ（ＲＡＭ）、ハードディスクドライブ（ＨＤＤ）などを用いることができる。
処理モード（動作中モードや終了モード）のそれぞれの処理モードのプログラムなども記憶されている。
【００２８】
画像処理部４４は、スキャナ部４６が原稿を読み取って取得した画像データや、通信部４５を介して入力された画像データに対して、プリンタ部４７での印刷処理に適した画像データにするための画像処理やＦＡＸ通信するための画像処理を施す装置である。
【００２９】
通信部４５は、ネットワークを介して電力管理サーバ２０やパソコン等の端末との間で各種情報や画像データの送受信を行う通信インターフェースである。また、ＦＡＸ通信において、相手先のＦＡＸ装置に通信を行う通信インターフェースでもある。
【００３０】
スキャナ部４６は、ＣＣＤ（Ｃｈａｒｇｅ  Ｃｏｕｐｌｅｄ  Ｄｅｖｉｃｅ）ラインセンサによって原稿から画像データを読み取る画像読取装置である。
【００３１】
プリンタ部４７は、電子写真方式の画像形成装置である。具体的に、プリンタ部４７は、画像処理の施された画像データを受け取り、この画像データに基づいてＣ，Ｍ，Ｙ，Ｋの各色成分のトナーを用いてシートにフルカラー画像を形成（印刷）するものである。また、図示しないが、プリンタ部４７は、Ｃ（シアン）のトナーを収納するシアントナーカートリッジと、Ｍ（マゼンタ）のトナーを収納するマゼンタトナーカートリッジと、Ｙ（イエロー）のトナーを収納するイエロートナーカートリッジと、Ｋ（ブラック）のトナーを収納するブラックトナーカートリッジとを備えている。
【００３２】
電源部４８は、複合機３０に電源供給を行う装置である。
制御部４９は、記憶部４３に記憶されている各種情報および各種制御を実施するためのプログラムを取り出して処理を行い、これらの処理結果に基づいて複合機３０が備える各装置に制御信号を送って各装置の動作を制御する。
【００３３】
＜設定処理＞
図４は、本発明の電力管理システムにおける電力管理サーバが複合機への各種設定の処理手順を示すフローチャートである。これは電力管理サーバ２０が、電力管理処理に入る前に複合機３０に対して行う処理である。
【００３４】
電力管理サーバ２０の制御部２５は、複合機３０と制御対象装置３１に、ネットワークを介して通信部２１からＩＰアドレスや機種名、電力消費量等の情報を抽出する命令を出し、これら情報を取得する（ステップＡ１１）。
【００３５】
制御部２５は、取得した抽出情報を情報保持部２２に保持し（ステップＡ１２）、表示部２３に、情報保持部２２に保持した抽出情報を一覧表示する（ステップＡ１３）。これにより、ユーザにデータが抽出されたことを報知する。抽出されていないデータがあれば、何らかのトラブルが起きたことが直ちに分かる。
【００３６】
設定部２４は、表示部２３に設定画面を起動し（ステップＡ１４）、対象装置を選択する画面を表示して、ユーザに選択させる（ステップＡ１５）。図５（ａ）に選択画面の一例を示すが、これは電力管理対象の装置一覧を示している。本発明は、複合機の設定であるので、ここでは複合機１を選択するものとする。さらに、設定部２４は、複合機のモード設定画面を表示し、ユーザに各モード設定を行わせる（ステップＡ１６）。
【００３７】
図５（ｂ）に、複合機のモード設定画面を示す。設定する処理モードは、動作中モード５２と終了モード５３である。
なお、本発明に関係するのは、複合機の処理モードであるので、複合機についてのみ記載しているが、他の制御対象装置においてもそれぞれの処理モードがあるが、ここでは省略する。
【００３８】
動作中モード５２は、電源ＯＦＦ時の処理に備えて、動作中からその処理を実行するモードであり、モード設定としては「通常モード」と「蓄積禁止モード」がある。「通常モード」は、ジョブを受信すれば、その順にジョブデータを蓄積して印刷処理を行うモードである。「蓄積禁止モード」は、ジョブを印刷処理中は、次のジョブデータを蓄積しないモードである。
【００３９】
終了モード５３は、電源ＯＦＦ時の処理モードであり、モード設定としては「保存モード」と「転送モード」がある。「保存モード」は、ＯＦＦ時に処理中のジョブは最後まで処理し、残りのジョブはデータを保存するモードである。「転送モード」は、ＯＦＦ時に処理中のジョブは最後まで処理し、残りのジョブはデータを他のＯＮしている複合機に転送するモードである。
【００４０】
さらに終了モード５３においては、印刷処理設定があり、「ジョブ印刷」と「部数１部」がある。「ジョブ印刷」は、ジョブ全体を印刷処理する。「部数１部」は複数の部数印刷の場合は、１部のみ印刷する。
【００４１】
デフォルト設定として、動作中モードが「通常モード」、終了モードが「保存モード」に「ジョブ印刷」とし、あえて設定しなければ、これが設定されるとしてもよい。
【００４２】
ステップＡ１７では、電源ＯＦＦ時の終了処理の設定が、「蓄積ジョブのプリントデータを他の複合機へ送信する設定（転送モード）」にされた場合は、ステップＡ１９に遷移し、そうでない場合はステップＡ１８に遷移する。
ステップＡ１８では、制御部２５は、情報保持部２２に設定情報を保持させる。
ステップＡ１９では、設定部２４は、転送先の複合機をユーザに選択させてからステップＡ１８に進む。
こうして、電力管理に必要な各種の設定は終了する。
【００４３】
＜終了モード＞
図６は、本発明に係る電力管理システムの終了モードを設定した場合の管理処理を示すフローチャートである。
図の左側は、複合機３０及び制御対象装置の処理フローを示し、右側はサーバの処理フロート示す。複合機３０及び制御対象装置の処理フローにおいては、ＯＦＦ状態の装置と、ＯＮ状態の装置で処理が異なるので、それぞれのフローを示し、サーバの処理フローとの関係を示すものである。
【００４４】
ＯＦＦ状態の複合機３０や制御対象装置３１は、電源スイッチがＯＮ操作されると（ステップＢ２１；Ｙｅｓ）、電力管理サーバ２０にＯＮ可能かを問い合わせる（ステップＢ２２）。
【００４５】
電力管理サーバ２０は、この問い合せ信号をネットワークを介して通信部２１で受信すると（ステップＡ２１）、制御部２５は、「受信した信号がＯＮ可能の問い合せ」か、あるいは「ＯＦＦ通知」であるかを確認する（ステップＡ２２）。ＯＮ可能かの問い合せ信号であれば（ステップＡ２２；ＯＮ可）、上限電力から現在の合計使用電力を引いて余裕電力を計算し（ステップＡ２３）、複合機３０あるいは制御対象装置３１をＯＮした場合、余裕電力を越えるかを算出する（ステップＡ２５）。余裕電力を越えなければ（ステップＡ２５；Ｎｏ）、電源ＯＮを許可し（ステップＡ２８）、ステップＡ２１に戻る。
【００４６】
一方、余裕が無い場合は（ステップＡ２５；Ｎｏ）、制御部２５が優先順位計算を行なう（ステップＡ２６）。すなわち、制御部２５は、情報保持部２２に保持されているテーブル２８のデータに基づいて、複数の複合機３０（３０−１〜３０−ｍ）や制御対象装置３１（３１−１〜３１−ｎ）の内、優先順位の高いものから、予め登録されている消費電力を合計して、定められた上限電力を超えないだけＯＮを許可する。その結果、優先順位が相対的に低くＯＮからＯＦＦにする必要がある装置（ＯＦＦ対象装置）であるかを確認する（ステップＡ２７）。ＯＦＦ対象装置でなければ、電源ＯＮを許可し（ステップＡ２８）、ステップＡ２１に戻る。
【００４７】
複合機３０あるいは制御対象装置３１は、ＯＮ可の通知を受けると（ステップＢ２３；Ｙｅｓ）、電源をＯＮする。複合機３０であれば、通信部４５が電力管理サーバ２０のＯＮ可の通知を受信して制御部４９に送り、制御部４９が電源部４８をＯＮする（ステップＢ２４）。そして処理を実行する（ステップＢ２５）。ここで、複合機３０の処理実行は、動作中モードが通常モードの場合の処理実行となる。特に動作中モードが指定しないときは、通常モードとして処理を行う。この処理は、図１０のフローチャートに示すものであるが、詳しくは後述する。
【００４８】
ステップＡ２７において、ＯＦＦ対象装置であれば、電源ＯＦＦを通知し、ＯＦＦ対象装置が複合機である場合には、同時に終了モードを送信し（ステップＡ２９）、ステップＡ２１に戻る。終了モードは、情報保持部２２に保持されているテーブル２８に記録されており、制御部２５が読み出して通信部２１から対象となる複合機３０に送信する。
【００４９】
ＯＮ状態にある複合機３０あるいは制御対象装置３１は、ＯＦＦ通知されたことを確認すると（ステップＢ２６）、終了処理を行う（ステップＢ２７）。「ＯＦＦにする」ことを電力管理サーバ２０に通知して（ステップＢ２８）、電源をＯＦＦする（ステップＢ２９）。
【００５０】
複合機３０であれば、通信部４５が電力管理サーバ２０のＯＦＦ通知と終了モードを受信して制御部４９に送り、制御部４９が終了モードに基づいて記憶部４３内に記憶されているので、該当プログラムを読み出し、終了処理を行う。そして、通信部４５を介して電力管理サーバ２０にＯＦＦにすることを通知し、電源部４８をＯＦＦする。
【００５１】
電力管理サーバ２０は、複合機３０あるいは制御対象装置３１からＯＦＦ通知を通信部４５で受信し、制御部２５に送る。制御部２５は、「受信した信号がＯＮ可能の問い合せ」か、あるいは「ＯＦＦ通知」であるかを確認する（ステップＡ２２）。「ＯＦＦ通知」の場合、ＯＦＦ通知を情報保持部２２のテーブル２８に記録し（ステップＡ２４）、ステップＡ２１に戻る。
【００５２】
次に、ステップＢ２７における各終了モードの複合機の終了処理について説明する。
【００５３】
図７は、終了モードが保存モードの場合の複合機における終了処理の例を示すフローチャートである。
複合機３０の制御部４９は、ジョブが処理実行中であるかを確認する（ステップＣ１１）。複合機３０にてジョブが処理実行中である場合は、ジョブが処理完了するまで待つ。ジョブが処理実行中ではない場合は、複合機３０の制御部４９は、ジョブが通信部４５を介して記憶部４３に蓄積中であるかを確認する（ステップＣ１２）。即ちクライアントＰＣなどから複合機３０へネットワーク経由で印刷ジョブが送信されている途中であるかを確認する。蓄積途中であれば、ジョブ内容をそのまま記憶部４３に保存する（ステップＣ１３）。記憶部４３に蓄積していない場合（クライアントＰＣなどからデータ受信中でない場合）は、処理を終了する。
【００５４】
図８は、終了モードが転送モードの場合の複合機における終了処理の例を示すフローチャートである。
図７と異なるのは、ステップＣ１３の代わりにステップＣ１４の処理を行う点である。すなわち、複合機３０内に蓄積しているジョブのプリントデータについて、送信先として設定されている他の複合機にむけて送信する。蓄積しているジョブ全てに対して、同様の処理を行う。この転送先の複合機は、電源供給の優先順位が最も高い複合機でもよいし、電力管理がされていない電源がＯＮ状態である複合機でもよい。
【００５５】
こうして、電源ＯＦＦ時に処理中のジョブがあれば、最後まで処理を実行し、それ以外の記憶部４３に蓄積されたジョブは、完全に記憶部４３に保存したり、他の電源ＯＮの複合機に転送するので、ジョブ処理途中で中断することがなく、業務に支障が出ないようにすることができる。
【００５６】
ここでは、終了モードは電力管理サーバ２０から通知されることになっているが、個々の複合機に予め終了モードが設定されていてもよい。この場合は、電力管理サーバ２０からは単にＯＦＦ通知だけであり、それを受信した複合機が、設定された終了モードに従って処理を行う。いずれにしても、登録ジョブに対する設定された終了方法の指示に従って複合機が実行する。
【００５７】
＜動作中モード＞
次に動作中モードを設定した場合の処理について説明する。
図９は、本発明に係る電力管理システムの動作中モードを設定した場合の管理処理を示すフローチャートである。
この実施例は、複合機３０がＯＮされるときに、電力管理サーバ２０から「動作中のモード」を通知する（ステップＡ３８）点で、図６のステップＡ２８と異なる。また、複合機３０は、電源ＯＮ時に、電力管理サーバ２０からの「動作中のモード」に従って処理実行を行う（ステップＢ３５）点で、図６のステップＢ２５と異なる。
【００５８】
次に複合機３０が、各動作中モードに従って動作する処理について説明する。
図１０は、動作中モードが通常モードの場合の複合機の処理を示すフローチャートであり、（ａ）はジョブの受付処理プロセスを示し、（ｂ）は印刷処理プロセスを示す。
【００５９】
通常モードは、印刷中に他のジョブを受信することで印刷効率を向上させるよう制御されるモードであり、一般的に行われているモードである。複合機３０では、ジョブ受付処理プロセスと印刷処理プロセスが並列的に実行されており、クライアントＰＣなどからジョブ送信依頼があれば、複合機内部の記憶装置（ＨＤＤ）に空き容量がある限り、クライアントＰＣにジョブを送信するよう通知するイネーブル信号を送信し、ジョブを蓄積している。
【００６０】
ジョブ受付処理プロセスにおいて、まず複合機３０の制御部４９は、通信部４５を介してクライアントＰＣからジョブ依頼が受信されているかを確認する（ステップＣ２１）。ジョブ依頼があれば、記憶部４３に空き容量があるかを確認する（ステップＣ２２）。空き容量があれば、ジョブ送信イネーブルをジョブ依頼を送信してきたクライアントＰＣに通知する（ステップＣ２３）。そして、クライアントＰＣからジョブデータを受信し、それを記憶部４３に保存する（ステップＣ２４）。
【００６１】
一方、印刷処理プロセスにおいて、ジョブが蓄積次第、順次印刷処理を行なうようにしている。従って、複合機３０の制御部４９は、記憶部４３に蓄積されたジョブがあるかを確認し（ステップＣ２５）、ジョブがあれば、プリンタ部４７で印刷処理を行う（ステップＣ２６）。
【００６２】
図１１は、動作中モードが蓄積禁止モードの場合の複合機の処理を示すフローチャートであり、（ａ）はジョブの受付処理プロセスを示し、（ｂ）は印刷処理プロセスを示す。
このモードは、印刷中の場合は、次のジョブを受け付けず、印刷が終了した時点で、はじめて次のジョブを受け付けるモードである。
【００６３】
図１０の通常モードと異なるのは、ステップＣ２７をステップＣ２２のあとに挿入したことである、すなわち複合機３０の制御部４９は、記憶部４３に空き容量があるかを確認し（ステップＣ２２）、空き容量があれば、現在印刷中か否かを確認する（ステップＣ２２）。印刷が終るまでは待機となり、印刷が終って（ステップＣ２２；Ｎｏ）、ステップＣ２３に進んで、ジョブを受け付けるジョブ送信イネーブルをクライアントＰＣに送信する。
【００６４】
こうして、動作中モードが蓄積禁止モードの場合、このように処理することで、電力管理サーバ２０から電源ＯＦＦの指示が到着したときも、現在実行中のジョブが終了してしまえば残余のジョブは蓄積されていないので、ユーザがＰＣから複合機３０に印刷ジョブを送信し終えた段階で「印刷された」と誤認識するといった不具合が生じないようにする。
【００６５】
終了モードと同様に、動作中モードは電力管理サーバ２０から通知されることになっているが、個々の複合機に予め動作中モードが設定されていてもよい。この場合は、電力管理サーバ２０からは単にＯＮ可の通知だけであり、それを受信した複合機が、設定された動作中モードに従って処理を行う。いずれにしても、登録ジョブに対する設定された動作方法の指示に従って複合機が実行する。
【００６６】
＜印刷部数設定＞
次に、複数部数のジョブを処理中で終了モードとなる場合について説明する。
この場合の処理は、基本的には終了モードの処理（図７，図８）の処理になるが、最後まで部数を処理した場合には、ＯＦＦまでの時間が掛かってしまう。
そこで、図５に示したように、印刷部数が一部と設定した場合、その部数を処理したときに、残り部数は記憶部４３に保持する。なお、印刷部数は、デフォルトでは一部に設定されている。一部あれば、とりあえず仕事上大きな支障がないものと考えられる。
【００６７】
図１２は、印刷部数１部の保存モードの場合の複合機における終了処理の例を示すフローチャートである。
図１３は、印刷部数１部の転送モードの場合の複合機における終了処理の例を示すフローチャートである。
ステップＣ１１で、ジョブが処理が実行中である場合、複合機３０の制御部４９は、印刷部数が１部完了したかを確認し（ステップ３１）、完了していれば、残りのジョブを保留として残り部数を記憶部４３に記憶する（ステップ３２）。ステップＣ１２以降は、図７及び図８と同様である。
【００６８】
こうして印刷部数を１部は印刷するので、残りの部数を印刷しなくとも、仕事上は大きな支障は起こらず、またユーザも一部しか印刷されていないことを把握できる。
【００６９】
＜プリントサーバ＞
次に、プリントサーバを介して印刷ジョブが処理されている場合を説明する。
図１４は、プリントサーバが接続された電力管理システムを示すブロック図である。
この電力管理システム５０は、図１の電力管理システム１０にプリントサーバ３２を加えたものである。プリントサーバ３２は、各複合機３０に接続し、外部のクライアントＰＣとはネットワークを介して接続し、クライアントＰＣの印刷ジョブの処理を複合機に行わせる。
【００７０】
図１５は、プリントサーバを示すブロック図である。
プリントサーバ３２は、複合機と接続するＩ／Ｆ６１と、ネットワークを介して通信を行う通信部６２と、ジョブデータ等を記憶する記憶部６３と、各部を制御する制御部６４とを備える構成である。
【００７１】
図１６は、プリントサーバ３２の動作を示すフローチャートであり、（ａ）はクライアントＰＣからのジョブを受信したら保存する処理を示し、（ｂ）はプリントサーバに保存されたジョブがある場合の処理を示し、（ｃ）は電力管理サーバ２０の通知を受けて複合機３０の電源ＯＮＯＦＦを記憶する処理を示し、（ｄ）は印刷の処理を示す。
【００７２】
図１６（ａ）に示すように、プリントサーバ３２は、クライアントＰＣからのジョブを通信部６２で受信すると（ステップＤ１１）、記憶部６３に一旦保存する（ステップＤ１２）。クライアントＰＣがジョブを送信する時は、ユーザはクライアントＰＣ側で出力先の複合機３０を指定して送信するので、それも記憶部６３に保存する。
【００７３】
図１６（ｂ）に示すように、プリントサーバ３２に保存されたジョブがあれば（ステップＤ２１）、プリントサーバ３２の制御部６４は、ジョブの出力先となる複合機３０の電源ＯＮ状態を確認して（ステップＤ２２）、電源ＯＮであれば指定された複合機３０にＩ／Ｆ６１を介してジョブを送信する（ステップＤ２３）。ＯＮでなければそのままジョブを記憶部６３に保持する。ここで複合機３０の電源ＯＮ／ＯＦＦの情報は、次の図１６（ｃ）のように電力管理サーバ２０から得る。
【００７４】
図１６（ｃ）に示すように、プリントサーバ３２は、電力管理サーバ２０の複合機の電源ＯＮ／ＯＦＦの通知を通信部６２で受けて（ステップＤ３１）、複合機の電源ＯＮ／ＯＦＦを記憶部６３に記憶する。この情報を基づいて、図１６（ｂ）の処理を行う。電力管理サーバ２０は、図６のフローチャートのステップＡ２８、Ａ２９で、プリントサーバ３２にもＯＮ／ＯＦＦ情報を通知する。
【００７５】
図１６（ｄ）に示すように、印刷しようとしていた複合機３０が、電源ＯＦＦになっていた場合、クライアントＰＣのユーザは、どの複合機３０がＯＮしているかは、プリントサーバ３２にアクセスしてその情報から分かるので、ＯＮしている複合機からジョブ処理をさせる装置を選択し、リクエストする。プリントサーバ３２の制御部６４は、印刷のリクエストを通信部６２で受信すると（ステップＤ４１）、リクエストがされた複合機３０にジョブを送信して印刷処理をさせる（ステップＤ４２）。
【００７６】
こうして、複合機３０が電力管理サーバ２０管理を受けているときに、プリントサーバに一旦ジョブを記憶して、複合機の電源オフ時には利用者が利用可能な複合機を適宜選択して印刷できる。
【００７７】
なお、本発明の上述の「電源ＯＦＦ」の概念は複合機の電源が全てＯＦＦにされているという概念以外に、複合機内のユニットの一部だけ電源がＯＦＦされているもの含む。例えば定着部の電源のみＯＦＦにされている、サーバとの通信部分以外がＯＦＦにされているといったものを含む。
【００７８】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【００７９】
１０  電力管理システム
２０  電力管理サーバ
２１  通信部
２２  情報保持部
２３  表示部
２４  設定部
２５  制御部
２８  テーブル
３０  複合機
３１  制御対象装置
３２  プリントサーバ
４１  入力操作部
４２  表示部
４３  記憶部
４４  画像処理部
４５  通信部
４６  スキャナ部
４７  プリンタ部
４８  電源部
４９  制御部
５０  電力管理システム
６１  Ｉ／Ｆ
６２  通信部
６３  記憶部
６４  制御部
【図１】
2013246448.tif 000003
【図２】
2013246448.tif 000004
【図３】
2013246448.tif 000005
【図４】
2013246448.tif 000006
【図５】
2013246448.tif 000007
【図６】
2013246448.tif 000008
【図７】
2013246448.tif 000009
【図８】
2013246448.tif 000010
【図９】
2013246448.tif 000011
【図１０】
2013246448.tif 000012
【図１１】
2013246448.tif 000013
【図１２】
2013246448.tif 000014
【図１３】
2013246448.tif 000015
【図１４】
2013246448.tif 000016
【図１５】
2013246448.tif 000017
【図１６】
2013246448.tif 000018